(57)【要約】【課題】洗浄に寄与しない洗浄水の洗浄槽内への拡散を防止し、循環経路の水量を削減して節水を実現する。【解決手段】食器かご３を収容する洗浄槽１と、前記洗浄槽１内の洗浄水を加圧する洗浄ポンプ５と、前記食器かご３の下方で、前記洗浄ポンプ５によって加圧された洗浄水を前記洗浄槽１内に噴射しながら回転する洗浄ノズル１１と、前記洗浄ポンプ５を駆動するモータ８と、前記モータ８の駆動を制御する制御手段１９とを備え、前記食器かご３と前記洗浄ノズル１１との間に前記洗浄ノズル１１の噴射孔１２から噴射した洗浄水の向きを前記洗浄槽１の底部方向へ変える反射板１８を設けたものである。【選択図】図１
2008167960.tif 000002
【特許請求の範囲】
【請求項１】
食器等の被洗浄物を載置した食器かごを収容する洗浄槽と、前記洗浄槽内の洗浄水を加圧する洗浄ポンプと、前記食器かごの下方で、前記洗浄ポンプによって加圧された洗浄水を前記洗浄槽内に噴射しながら回転する洗浄ノズルと、前記洗浄ポンプを駆動するモータと、前記モータの駆動を制御する制御手段とを備え、前記食器かごと前記洗浄ノズルとの間に前記洗浄ノズルの噴射孔から噴射した洗浄水の向きを前記洗浄槽の底部方向へ変える反射板を設けた食器洗い機。
【請求項２】
反射板を食器かごの下部に構成した請求項１記載の食器洗い機。
【請求項３】
洗浄槽は洗浄水を加熱するヒータを有し、反射板により反射した洗浄水が前記ヒータにかかるようにした請求項１または２記載の食器洗い機。
【請求項４】
洗浄槽は洗浄水中の残さいを捕捉するフィルタを有し、反射板を前記フィルタの上方に構成した請求項１〜３のいずれか１項に記載の食器洗い機。
【発明の詳細な説明】
【技術分野】
【０００１】
本発明は、食器の洗浄を行う食器洗い機に関するものである。
【背景技術】
【０００２】
従来、この種の食器洗い機は洗浄水の向きを変える反射板が設けられていた。この反射板は、洗浄ノズルから噴射された洗浄水が洗浄槽の内壁に衝突するのを防止することによる騒音対策などに用いられていた（例えば、特許文献１参照）。
【特許文献１】特開昭４９−１２２１６１号公報
【発明の開示】
【発明が解決しようとする課題】
【０００３】
しかし、食器洗い機の課題の１つに節水があり、貯水部から洗浄ノズルに至る導水経路や、噴射された洗浄水が、洗浄槽内の空間、食器表面や、洗浄槽の側面および底面を流れ、貯水部に回収される循環経路の水量削減が食器洗い機における節水のひとつの要因となる。洗浄ノズルから噴射された洗浄水が洗浄槽の内壁に衝突するのを防止する反射板では、反射板に衝突し洗浄に必要な機械力を失った洗浄水が、洗浄槽内に拡散し無駄な水量を消費することになる課題を有していた。
【０００４】
本発明は、上記の課題を解決するもので、洗浄に寄与しない洗浄水の洗浄槽内への拡散を防止し、循環経路の水量削減を行うことにより節水を実現することを目的としている。
【課題を解決するための手段】
【０００５】
上記の目的を達成するために、本発明の食器洗い機は、食器かごと洗浄ノズルとの間に前記洗浄ノズルの噴射孔から噴射した洗浄水の向きを洗浄槽の底部方向へ変える反射板を設けたものである。
【０００６】
これにより、洗浄に寄与しない洗浄水の洗浄槽内への拡散を防止し、循環経路の水量削減を行うことにより節水を実現することが可能となる。
【発明の効果】
【０００７】
本発明の食器洗い機は、循環経路の水量を少なくして節水を促進することができる。
【発明を実施するための最良の形態】
【０００８】
第１の発明は、食器等の被洗浄物を載置した食器かごを収容する洗浄槽と、前記洗浄槽内の洗浄水を加圧する洗浄ポンプと、前記食器かごの下方で、前記洗浄ポンプによって加圧された洗浄水を前記洗浄槽内に噴射しながら回転する洗浄ノズルと、前記洗浄ポンプを駆動するモータと、前記モータの駆動を制御する制御手段とを備え、前記食器かごと前記洗浄ノズルとの間に前記洗浄ノズルの噴射孔から噴射した洗浄水の向きを前記洗浄槽の底部方向へ変える反射板を設けたことにより、洗浄に寄与しない洗浄水の洗浄槽内への拡散を防止し、循環経路の水量削減を行うことにより節水を実現することが可能となる。また、洗浄に寄与しない洗浄水の洗浄槽内壁に衝突する際に発生する衝突音が防止され騒音も低減できる。
【０００９】
第２の発明は、特に、第１の発明の反射板を食器かごの下部に構成したことにより、簡易な構成で節水と静音化を実現することができる。
【００１０】
第３の発明は、特に、第１の発明または第２の発明の洗浄槽は洗浄水を加熱するヒータを有し、反射板により反射した洗浄水が前記ヒータにかかるようにしたことにより、水量削減の中で課題となるヒータが水面から露出し、空焼き状態になるのを防止することが可能となり、洗浄水を確実に加熱することができる。
【００１１】
第４の発明は、特に、第１〜第３のいずれか１つの発明の洗浄槽は洗浄水中の残さいを捕捉するフィルタを有し、反射板を前記フィルタの上方に構成したことにより、フィルタ近傍の残さいを、反射板により向きを変えられた洗浄水により攪拌する事が可能となり、洗浄中に残さいによりフィルタが目詰まりを起こし、導水経路の圧損が上昇し洗浄能力が低下するのを防止することが可能となる。
【００１２】
以下、本発明の実施の形態について、図面を参照しながら説明する。なお、本実施の形態によって本発明が限定されるものではない。
【００１３】
（実施の形態１）
図１〜図３において、１は食器洗い機の本体２内に形成した洗浄槽で、洗浄を行う食器をセットする食器かご３を取り出し可能に設置する。洗浄槽１の底部には水を貯める貯水部４を設けている。洗浄槽１への給水は、水道水の止水あるいは給水を行う給水弁（図示せず）を設けた給水経路（図示せず）を介して行われ、供給される水を所定の水位に保つ水位センサ（図示せず）、および制御回路等からなる貯水量制御手段（図示せず）により行われる。
【００１４】
５は貯水部４に貯水された水を加圧する洗浄ポンプで、この洗浄ポンプ５内のインペラ６の回転軸７と、洗浄ポンプ５の駆動源であるモータ８の回転軸７を同心として略鉛直方向に構成し、洗浄ポンプ５をモータ８の下方に配設している。９は洗浄ポンプ５内に洗浄水を流入させる吸込み経路で、洗浄ポンプ５とこの洗浄ポンプ５を駆動するモータ８との間に設けてあり、インペラ６の回転軸７を取り囲むように中心付近に吸い込み口１７を形成している。
【００１５】
洗浄ポンプ５は、インペラ６を正逆反転可能な遠心式とし、正転時は第１の吐出口１０から洗浄水を吐出して洗浄ノズル１１へ供給し、噴射口１２から洗浄槽１内に噴射する。洗浄ノズル１１は水平方向に回転可能に設けてあり、噴射口１２から洗浄水を噴射する際の反力で回転し、洗浄槽１内の広い範囲に噴射できるようにしている。１３は切替え弁であり、インペラ６の正転時は洗浄ポンプ５内に発生する、第１の吐出口１０に向かう洗浄水の流れにより第２の吐出口１４を閉鎖し、反転時は、正転時と逆の洗浄水の流れをきっかけとして第２の吐出口１４を開放する。この切替え弁１３の動作により、洗浄ポンプ５の逆転時は、第２の吐出口１４から機外へ洗浄水を吐出して排水を行う。
【００１６】
なお、排水動作は洗浄ポンプ５と別に設けた排水ポンプ（図示せず）でも可能であり、これらの動作は、モータ８の駆動を制御する制御手段１９により行われる。
【００１７】
１５は貯水部４に貯水された水を加熱するヒータで、乾燥時は送風手段（図示せず）により洗浄槽１内に供給される送風を加熱する。１６は食器に付着していた残さいを捕捉するフィルタである。
【００１８】
次に、上記実施の形態における動作について説明する。まず、貯水量制御手段（図示せず）により水道水が洗浄槽１の内部へ給水され、洗浄槽１の底部に設けられた貯水部４に貯まり、所定の水位になったところで給水を停止する。次に、洗浄ポンプ５が正転動作し、貯水部４の洗浄水は洗浄ポンプ５により加圧され、吸込み経路９を通りインペラ６の上部に設けた吸い込み口１７から洗浄ポンプ５内へ入り、第１の吐出口１０から洗浄水を吐出して洗浄ノズル１１へ供給し、噴射口１２から洗浄槽１内の食器かご３に置かれた食器に向けて噴射され洗浄を行う。
【００１９】
食器の汚れを落とした洗浄水は再び貯水部４へ戻る。洗浄水はヒータ１５によって加熱され、予め設定されている適度な高温となって洗浄力が高められるとともに、洗浄を行った洗浄水の汚染物はフィルタ１６により捕捉され、再び洗浄ポンプ５へと循環して洗浄を行う際に汚染物の再付着を抑える。所定の洗浄が終了すると洗浄ポンプ５を反転動作し、第２の吐出口１４から機外へ洗浄水を吐出して排水を行う。
【００２０】
ここで、洗浄中に、貯水部４から洗浄ノズル１１に至る導水経路や、噴射された洗浄水が、洗浄槽１内の空間、食器表面や、洗浄槽１の側面および底面を流れ貯水部４に回収される循環経路を流れるため、洗浄中の貯水部４の水位は、洗浄ポンプ５停止時の水位よりも下がる。洗浄中の水位が低下しすぎると、ヒータ１５が水面から露出し、空焼き状態になったり、貯水部４から吸込み経路９内にエアを引き込みやすくなり、引き込まれたエアにより洗浄ポンプ５の能力が低下するため、洗浄ノズル１１の噴射孔１２からの洗浄水の噴射力が低下し洗浄能力が低下する。
【００２１】
これを防止するため洗浄中の貯水部４の水位に余裕を持たすのが一般的であるが、水位に余裕を持たすためにはより多くの水量が必要となり、食器洗い機の課題のひとつである節水を克服するのが困難となる。
【００２２】
洗浄中の水位の低下を少なくするには、洗浄ノズル１１の噴射孔１２からの洗浄水の噴射量の削減や、洗浄ポンプ５停止時の水位よりも上にある洗浄ノズル１１に至るまでの導水経路の体積低減、洗浄槽１の底面に傾斜をつけて水の回収を良くする等の手段があるが、いずれも限度があり、また、昨今の庫内容量アップや食器点数アップは更に水の回収を悪化させる。
【００２３】
回転する洗浄ノズル１１に設けられた噴射孔１２は円形の回転軌跡を描くため、一般的に四角形に構成された洗浄槽１の四隅は噴射孔１２の回転軌跡から外れる。洗浄槽１の四隅近傍に置かれた食器を洗浄するため、洗浄ノズル１１の最外周の噴射孔１２の角度を外周方向に向け、洗浄水が洗浄槽１の四隅近傍に置かれた食器にかかるようにする。このため洗浄ノズル１１の最外周が洗浄槽１の四隅近傍に位置するときは洗浄に寄与するが、それ以外の位置に洗浄ノズル１１の最外周の噴射孔１２があるときは、洗浄槽１の内面にしか洗浄水がかからず、ほとんど洗浄に寄与しない。
【００２４】
このほとんど洗浄に寄与しない洗浄水を洗浄槽１内に拡散するのを防止することで洗浄水の回収を良化し、洗浄中の水位の低下を抑制し節水をすることが可能となる。また同時に、ほとんど洗浄に寄与しない洗浄水が洗浄槽１の内壁に衝突する際に発生する衝突音が防止され騒音も低減できる。
【００２５】
前記食器かご３と洗浄ノズル１１との間に設けた反射板１８により、洗浄中に洗浄ノズル１１の噴射孔１２より噴射した洗浄水の向きが洗浄槽１の底部方向に変わる。このことにより洗浄水の洗浄槽１内への拡散を防止することが可能となり、洗浄水の回収を良化し、洗浄中の水位の低下を抑制し節水をすることが可能となる。
【００２６】
また、洗浄ノズル１１に設けられた噴射孔１２は回転軌跡上で、食器かご３の線材に洗浄水が衝突し拡散する箇所や、食器のレイアウトの関係で洗浄水が食器に当たらず洗浄に寄与しない箇所に反射板１８を取り付けることにより、更に洗浄水の洗浄槽１内への拡散を防止することが可能となり、洗浄水の回収を良化し、洗浄中の水位の低下を抑制し節水をすることが可能となる。
【００２７】
反射板１８は食器かご３の洗浄ノズル１１に近い下部に取り付けることにより効果的かつ簡単に構成できる。
【００２８】
更に、反射板１８をヒータ１５の上部近傍に構成し、反射板１８により反射した洗浄水が前記ヒータ１５にかかるようにしたことにより、水量削減の中で課題となるヒータ１５が水面から露出しても、洗浄ノズル１１がヒータ１５の近傍に来たときに、反射板１８により反射した洗浄水が前記ヒータ１５にかかるため、空焼き状態になるのを防止することが可能となる。
【００２９】
また、食器に付着していた残さいを補足するフィルタ１６は、洗浄中常に洗浄ポンプ５に吸い込まれる洗浄水が通過するため、洗浄水中に含まれるフィルタ１６を通過できない大きさの残さいが捕捉される。食器全体に付着している残さいの量や種類、大きさなどにより、洗浄中にフィルタ１６が残さいにより目詰まりをおこすと、導水経路の圧損が上昇し洗浄能力が低下する。反射板１８をフィルタ１６の上部近傍に構成し、反射板１８により反射した洗浄水がフィルタ１６近傍の貯水部４の洗浄水にかかるようにし、洗浄水を攪拌することにより、フィルタ１６の目詰まりを防止することが可能となる。
【００３０】
なお、洗浄槽１は洗浄槽１内の食器等を乾燥させるための風を洗浄槽１内に送る送風孔（図示せず）を有し、前記反射板１８を送風孔の前方近傍に構成した場合、乾燥させるための風を洗浄槽１内に拡散させ効率的に乾燥することが可能となるとともに、洗浄中の洗浄槽１内で発生した騒音が送風孔を通して機外に漏れることを抑制できる。
【産業上の利用可能性】
【００３１】
以上のように、本発明にかかる食器洗い機は、洗浄に寄与しない洗浄水の洗浄槽内への拡散を防止し循環経路の水量削減を行うことにより節水を実現することが可能となる食器洗い機として有用である。
【図面の簡単な説明】
【００３２】
【図１】本発明の実施の形態１の食器洗い機の断面図
【図２】同食器洗い機の洗浄ポンプおよびモータの拡大断面図
【図３】同食器洗い機の洗浄ポンプの内部平面図
【符号の説明】
【００３３】
１  洗浄槽
３  食器かご
４  貯水部
５  洗浄ポンプ
８  モータ
９  吸い込み経路
１１  洗浄ノズル
１２  噴射口
１５  ヒータ
１６  フィルタ
１８  反射板
１９  制御手段
【図１】
2008167960.tif 000003
【図２】
2008167960.tif 000004
【図３】
2008167960.tif 000005